(57)【特許請求の範囲】
【請求項１】
走行路を有する走行桁と、この走行桁の両端に取り付けられ走行桁を支持する支持脚と、走行路上に走行自在に載置され長尺重量物を把持して吊り上げる巻き上げ機とを備え、
走行桁の走行路を、作業対象となる長尺重量物の幅より長寸に形成するとともに、複数の巻き上げ機を走行路に配置し、これら巻き上げ機には、走行車輪の制動を制御する制動機構を設けるとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成したことを特徴とする山越器。
【請求項２】
巻き上げ機の走行車輪には、走行を操作する走行ハンドルが係脱自在に連結されることを特徴とする請求項１に記載の山越器。
【請求項３】
走行桁を、一対の角筒材を所定の間隔を隔てて両端を接続して構成し、走行路をこれら角筒材上面に形成し、
巻き上げ機を、左右の両側枠に回動自在に設けられたロードシーブと、先端に長尺重量物を把持するレールキャッチが取り付けられ角筒材間の隙間を介してロードシーブに巻き取られるロードチェーンと、角筒材間の隙間に突出し走行車輪が走行路から脱落するのを阻止する走行ガイドとを備えて構成し、
ロードシーブには、ロードシーブを回動させる巻回ハンドルが係脱自在に連結されることを特徴とする請求項１または２に記載の山越器。
【請求項４】
山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、
長尺重量物を、予め決められた移送予定面の横方向に合致させて配置する第１の工程と、
山越器を、配置された長尺重量物と移送予定面とを跨ぎ長尺方向に沿って一列に配置する第２の工程と、
走行路の長尺重量物上に巻き上げ機を配置し、制動機構により走行車輪を制動させ、これら巻き上げ機により長尺重量物を把持して吊り上げる第３の工程と、
制動機構により巻き上げ機の走行車輪の制動を解除し、吊り上げられた長尺重量物を移送予定面に向かって横移動させ、長尺重量物が移送予定面上に達すると制動機構により走行車輪を制動させる第４の工程と、
移送予定面上に達した長尺重量物を巻き上げ機により吊り降ろし、巻き上げ機から切り離す第５の工程とを有することを特徴とする山越器を用いた長尺重量物の移送方法。
【請求項５】
山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、
長尺重量物を、予め決められた移送予定面の横方向に合致させて配置する第１の工程と、
山越器を、長尺重量物を跨いで長尺方向に沿って一列に配置する第２の工程と、
走行路の長尺重量物上に巻き上げ機を配置し、制動機構により走行車輪を制動させ、これら巻き上げ機により長尺重量物を把持して吊り上げる第３の工程と、
制動機構により巻き上げ機の走行車輪の制動を解除し、吊り上げられた長尺重量物を移送予定面に向かって横移動させ、長尺重量物の移送方向前方側が山越器の走行路端に近づくと制動機構により走行車輪を制動させる第４の工程と、
山越器の走行路端に近づいた長尺重量物を巻き上げ機により吊り降ろし、巻き上げ機から切り離す第５の工程と、
移送予定面の途中で吊り降ろされた長尺重量物に対し、山越器を横方向に移動する第６の工程とを有し、
長尺重量物を移送予定面に移すまで上記第２ないし第６の工程を繰り返すことを特徴とする山越器を用いた長尺重量物の移送方法。
【請求項６】
移送予定面は、長尺重量物を敷設する道床の敷設場所または長尺重量物を撤去するためレール上で待機する搬送車であることを特徴とする請求項４または５に記載の山越器を用いた長尺重量物の移送方法。
【発明の詳細な説明】
【技術分野】
【０００１】
本発明は、山越器とそれを用いた長尺重量物の移送方法に関するものである。
【背景技術】
【０００２】
一般に、鉄道の分岐器（ポイント）等のような長尺重量物の敷設または撤去にあたっては、例えば、分岐器を敷設する場合、作業予定場所に予め枕木の下に横移動用の仮レールを敷き、作業現場に運び込まれた分岐器をクレーン等により吊り上げ、横取装置により仮レールの上を横移動させていた。また、枕木の下に仮レールに代えてローラ台を設置し、クレーンで分岐器を吊り上げて載置し横移動させていた。しかしながら、係る方法では、段取りが多く作業に時間がかかるという問題があった。このため、従来、一対の搬送台車に分岐器を載せ据え付け位置に搬送し、搬送台車に回動自在に設けられた桁材を据え付け側の線路に回転させて軌間方向に配置し、この桁材に取り付けられたウインチで分岐器を横移動させ、据え付ける工法が知られている（特許文献１参照）。
【特許文献１】特開平８−８０８４７号公報（第３頁、図４）
【発明の開示】
【発明が解決しようとする課題】
【０００３】
しかしながら、上記従来の特許文献１に記載の分岐器の移送方法では、重量物を吊り下げる桁材の強度を確保するため桁材だけでなく、桁材の回動機構や搬送台車を大型化しなければならないという問題がある。また、搬送台車はレール上を走行するため、桁材の延長端までの範囲内でしか据え付けできず、据え付け場所が桁材から離れた場所では使用できないという問題がある。
【０００４】
本発明は、上記課題を解決するためになされたもので、簡素な構成で作業効率がよく、しかも、少ない人数で、かつ、安価なコストで作業を行うことができる山越器とそれを用いた長尺上量物の移送方法を提供することを目的とするものである。
【課題を解決するための手段】
【０００５】
本発明の請求項１に係る山越器は、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象となる長尺重量物の幅より長寸に形成するとともに、複数の巻き上げ機を走行路に配置し、これら巻き上げ機には、走行車輪の制動を制御する制動機構を設けるとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成したことを特徴とするものである。
【０００６】
本発明の請求項１に係る山越器では、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象となる長尺重量物の幅より長寸に形成するとともに、複数の巻き上げ機を走行路に配置し、これら巻き上げ機には、走行車輪の制動を制御する制動機構を設けるとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成したので、山越器は、長尺重量物の置かれた作業現場に運び込まれると、長尺重量物に沿って一列に配置される。配置された山越器の走行桁には、長尺重量物の上方に巻き上げ機が配置され、制動機構によりこれら巻き上げ機の走行車輪が制動されると、巻き上げ機により長尺重量物を把持して吊り上げる。次に、制動機構により巻き上げ機の走行車輪の制動が解除されると、吊り上げられた長尺重量物は移送予定面に移送され、制動機構により走行車輪が制動される。次に、移送予定面上に移送された長尺重量物は巻き上げ機により移送予定面に吊り降ろされ、長尺重量物は巻き上げ機による把持が解かれると、長尺重量物は巻き上げ機から切り離され、移送予定面に置かれる。このため、長尺重量物を所望の移送予定面に移し替えるにあたり、複数の山越器を用いるだけで作業を行うことができ、大型の重機を用いたり、移送のための転動設備を予め設置する必要がなく、作業効率が向上する。また、長尺重量物を、中間位置に一旦吊り降ろした後、または、途中で吊り降ろしを繰り返して最終的な作業予定地まで運ぶことができ、長尺重量物の据え付けまたは撤去の場所を制約なく自在に変更または広げることができる。制動機構を簡素化することができ、巻き上げ機の軽量スリム化が図れる。また、制動操作はねじ回しにより行われるので、制動操作が行われたかどうかを操作感覚で確実に確認することができる。
【０００９】
さらに、請求項２に係る山越器は、巻き上げ機の走行車輪には、走行を操作する走行ハンドルが係脱自在に連結されることを特徴とするものである。
【００１０】
請求項２に係る山越器では、巻き上げ機の走行車輪には、走行を操作する走行ハンドルが係脱自在に連結されるようにしたので、走行ハンドルを通じて巻き上げ機を走行させることができるので、たとえ長尺重量物の重量が重くても、巻き上げ機を移動させやすくなり、少人数で作業を行うことができる。
【００１１】
請求項３に係る山越器は、走行桁を、一対の角筒材を所定の間隔を隔てて両端を接続して構成し、走行路をこれら角筒材上面に形成し、巻き上げ機を、左右の両側枠に回動自在に設けられたロードシーブと、先端に長尺重量物を把持するレールキャッチが取り付けられ角筒材間の隙間を介してロードシーブに巻き取られるロードチェーンと、角筒材間の隙間に突出し走行車輪が走行路から脱落するのを阻止する走行ガイドとを備えて構成し、ロードシーブには、ロードシーブを回動させる巻回ハンドルが係脱自在に連結されることを特徴とするものである。
【００１２】
請求項３に係る山越器では、走行桁を、一対の角筒材を所定の間隔を隔てて両端を接続して構成し、走行路をこれら角筒材上面に形成し、巻き上げ機を、左右の両側枠に回動自在に設けられたロードシーブと、先端に長尺重量物を把持するレールキャッチが取り付けられ角筒材間の隙間を介してロードシーブに巻き取られるロードチェーンと、角筒材間の隙間に突出し走行車輪が走行路から脱落するのを阻止する走行ガイドとを備えて構成し、ロードシーブには、ロードシーブを回動させる巻回ハンドルが係脱自在に連結されるので、人力で長尺重量物を吊り上げることができ、巻き上げ機を簡素化することができる。
【００１３】
本発明の請求項４に係る山越器を用いた長尺重量物の移送方法は、山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、長尺重量物を、予め決められた移送予定面の横方向に合致させて配置する第１の工程と、山越器を、配置された長尺重量物と移送予定面とを跨ぎ長尺方向に沿って一列に配置する第２の工程と、走行路の長尺重量物上に巻き上げ機を配置し、制動機構により走行車輪を制動させ、これら巻き上げ機により長尺重量物を把持して吊り上げる第３の工程と、制動機構により巻き上げ機の走行車輪の制動を解除し、吊り上げられた長尺重量物を移送予定面に向かって横移動させ、長尺重量物が移送予定面上に達すると制動機構により走行車輪を制動させる第４の工程と、移送予定面上に達した長尺重量物を巻き上げ機により吊り降ろし、巻き上げ機から切り離す第５の工程とを有することを特徴とするものである。
【００１４】
本発明の請求項４に係る山越器を用いた長尺重量物の移送方法では、山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、長尺重量物を、予め決められた移送予定面の横方向に合致させて配置する第１の工程と、山越器を、配置された長尺重量物と移送予定面とを跨ぎ長尺方向に沿って一列に配置する第２の工程と、走行路の長尺重量物上に巻き上げ機を配置し、制動機構により走行車輪を制動させ、これら巻き上げ機により長尺重量物を把持して吊り上げる第３の工程と、制動機構により巻き上げ機の走行車輪の制動を解除し、吊り上げられた長尺重量物を移送予定面に向かって横移動させ、長尺重量物が移送予定面上に達すると制動機構により走行車輪を制動させる第４の工程と、移送予定面上に達した長尺重量物を巻き上げ機により吊り降ろし、巻き上げ機から切り離す第５の工程とを有するようにしたので、第１の工程で、長尺重量物が、予め決められた移送予定面の横方向に合致させて配置されると、次に、第２の工程で、山越器は長尺重量物と移送予定面との両方を跨いで長尺方向に沿って一列に配置され、第３の工程で、配置された山越器の走行桁には、長尺重量物の上方に複数の巻き上げ機が配置され、制動機構によりこれら巻き上げ機の走行車輪が制動されると、長尺重量物は巻き上げ機に把持されて吊り上げられる。次に、第４の工程で、制動機構により巻き上げ機の走行車輪の制動が解除されると、吊り上げられた長尺重量物は、移送予定面に向かって横移動され、長尺重量物の移送方向前方側が山越器の走行路端に近づき、長尺重量物が移送予定面上に達すると制動機構により走行車輪が制動される。次に、第５の工程で、移送予定面上に達した長尺重量物が巻き上げ機により移送予定面に吊り降ろされ、巻き上げ機との把持が解かれると、長尺重量物は巻き上げ機から切り離され、移送予定面に置かれ、作業が完了する。このため、長尺重量物を移送予定面に移し替えるにあたり、一列に配置された複数の山越器を用いるだけで作業を行うことができ、大型の重機を用いたり、移送のための転動設備を予め設置する必要がなく、しかも、作業効率が向上する。
【００１５】
本発明の請求項５に係る山越器を用いた長尺重量物の移送方法は、山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、長尺重量物を、予め決められた移送予定面の横方向に合致させて配置する第１の工程と、山越器を、長尺重量物を跨いで長尺方向に沿って一列に配置する第２の工程と、走行路の長尺重量物上に巻き上げ機を配置し、制動機構により走行車輪を制動させ、これら巻き上げ機により長尺重量物を把持して吊り上げる第３の工程と、制動機構により巻き上げ機の走行車輪の制動を解除し、吊り上げられた長尺重量物を移送予定面に向かって横移動させ、長尺重量物の移送方向前方側が山越器の走行路端に近づくと制動機構により走行車輪を制動させる第４の工程と、山越器の走行路端に近づいた長尺重量物を巻き上げ機により吊り降ろし、巻き上げ機から切り離す第５の工程と、移送予定面の途中で吊り降ろされた長尺重量物に対し、山越器を横方向に移動する第６の工程とを有し、長尺重量物を移送予定面に移すまで上記第２ないし第６の工程を繰り返すことを特徴とするものである。
【００１６】
本発明の請求項５に係る山越器を用いた長尺重量物の移送方法では、山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、長尺重量物を、予め決められた移送予定面の横方向に合致させて配置する第１の工程と、山越器を、長尺重量物を跨いで長尺方向に沿って一列に配置する第２の工程と、走行路の長尺重量物上に巻き上げ機を配置し、制動機構により走行車輪を制動させ、これら巻き上げ機により長尺重量物を把持して吊り上げる第３の工程と、制動機構により巻き上げ機の走行車輪の制動を解除し、吊り上げられた長尺重量物を移送予定面に向かって横移動させ、長尺重量物の移送方向前方側が山越器の走行路端に近づくと制動機構により走行車輪を制動させる第４の工程と、山越器の走行路端に近づいた長尺重量物を巻き上げ機により吊り降ろし、巻き上げ機から切り離す第５の工程と、移送予定面の途中で吊り降ろされた長尺重量物に対し、山越器を横方向に移動する第６の工程とを有し、長尺重量物を移送予定面に移すまで上記第２ないし第６の工程を繰り返すようにしたので、第１の工程で、長尺重量物が、予め決められた移送予定面の横方向に合致させて配置されると、次に、第２の工程で、山越器は長尺重量物を跨いで長尺方向に沿って一列に配置され、第３の工程で、配置された山越器の走行桁には、長尺重量物の上方に複数の巻き上げ機が配置され、制動機構によりこれら巻き上げ機の走行車輪が制動されると、巻き上げ機により長尺重量物を把持して吊り上げる。次に、第４の工程で、制動機構により巻き上げ機の走行車輪の制動が解除されると、吊り上げられた長尺重量物は、移送予定面に向かって横移動され、長尺重量物の移送方向前方側が山越器の走行路端に達すると制動機構により走行車輪が制動される。次に、第５の工程で、山越器の走行路端に達した長尺重量物は巻き上げ機により移送予定面までの途中位置に吊り降ろされ、巻き上げ機の把持が解かれると、長尺重量物は巻き上げ機から切り離され、途中位置に置かれる。長尺重量物が途中位置に置かれると、次に、第６の工程で、山越器は横方向に移動される。そして、長尺重量物を移送予定面に移すまで第２ないし第６の工程が繰り返される。このため、長尺重量物を途中位置に一旦吊り降ろした後、または、途中で吊り降ろしを繰り返して最終的な移送予定面まで運ぶことができ、長尺重量物の据え付けまたは撤去の場所を制約なく自在に変更または広げることができる。また、山越器の走行桁寸法を長くしすぎる必要がないので、山越器はコンパクト化される。
【００１７】
本発明の請求項６に係る山越器を用いた長尺重量物の移送方法は、移送予定面が、長尺重量物を敷設する道床の敷設場所または長尺重量物を撤去するためレール上で待機する搬送車であることを特徴とするものである。
【００１８】
本発明の請求項６に係る山越器を用いた長尺重量物の移送方法では、移送予定面は、長尺重量物を敷設する道床の敷設場所または長尺重量物を撤去するためレール上で待機する搬送車であるようにしたので、長尺重量物の据え付け作業でも撤去作業でも適用することができ、作業効率が向上する。
【発明の効果】
【００１９】
本発明に係る山越器は、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象となる長尺重量物の幅より長寸に形成するとともに、複数の巻き上げ機を走行路に配置し、これら巻き上げ機には、走行車輪の制動を制御する制動機構を設けるとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成したことにより、簡素な構成で作業効率がよく、しかも、安価なコストで作業を行うことができる。
【００２０】
本発明に係る山越器を用いた長尺重量物の移送方法は、山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、長尺重量物を、予め決められた移送予定面の横方向に合致させて配置する第１の工程と、山越器を、配置された長尺重量物と移送予定面とを跨ぎ長尺方向に沿って一列に配置する第２の工程と、走行路の長尺重量物上に巻き上げ機を配置し、制動機構により走行車輪を制動させ、これら巻き上げ機により長尺重量物を把持して吊り上げる第３の工程と、制動機構により巻き上げ機の走行車輪の制動を解除し、吊り上げられた長尺重量物を移送予定面に向かって横移動させ、長尺重量物が移送予定面上に達すると制動機構により走行車輪を制動させる第４の工程と、移送予定面上に達した長尺重量物を巻き上げ機により吊り降ろし、巻き上げ機から切り離す第５の工程とを有することにより、簡素な構成で作業効率がよく、しかも、少ない人数で、かつ、安価なコストで作業を行うことができる。
【００２１】
本発明に係る山越器を用いた長尺重量物の移送方法は、山越器を、走行路を有する走行桁と、この走行桁の両端に取り付けられ走行桁を支持する支持脚と、走行路上に走行自在に載置され長尺重量物を把持して吊り上げる巻き上げ機とを備え、走行桁の走行路を、作業対象長尺重量物の幅より長寸に形成するとともに、複数の巻き上げ機を走行路に配置し、これら巻き上げ機には、走行車輪の制動を制御する制動機構を設けて構成するとともに、制動機構を、巻き上げ機本体に取り付けられねじ穴が貫通して形成された支持部材と、このねじ穴に螺装されるねじ部と、ねじ部の外側端部に取り付けられ、回動操作によりねじ部先端を走行車輪の車軸側に擦り付け可能な操作レバーとを備えて構成し、長尺重量物を、予め決められた移送予定面の横方向に合致させて配置する第１の工程と、山越器を、長尺重量物を跨いで長尺方向に沿って一列に配置する第２の工程と、走行路の長尺重量物上に巻き上げ機を配置し、制動機構により走行車輪を制動させ、これら巻き上げ機により長尺重量物を把持して吊り上げる第３の工程と、制動機構により巻き上げ機の走行車輪の制動を解除し、吊り上げられた長尺重量物を移送予定面に向かって横移動させ、長尺重量物の移送方向前方側が山越器の走行路端に近づくと制動機構により走行車輪を制動させる第４の工程と、山越器の走行路端に近づいた長尺重量物を巻き上げ機により吊り降ろし、巻き上げ機から切り離す第５の工程と、移送予定面の途中で吊り降ろされた長尺重量物に対し、山越器を横方向に移動する第６の工程とを有し、長尺重量物を移送予定面に移すまで上記第２ないし第６の工程を繰り返すようにしたことにより、簡素な構成で作業効率がよく、しかも、少ない人数で、かつ、安価なコストで作業を行うことができる。また、移送予定面を制約なく設定することができ、施工の自由度が向上する。
【発明を実施するための最良の形態】
【００２２】
作業効率を向上させかつ用いる機材の簡素化を図るという目的を、山越器を、走行路を有する走行桁と、この走行桁の両端に取り付けられ走行桁を支持する支持脚と、走行桁に取り外し自在に配置され走行路上を自在に移動し長尺重量物を把持して吊り上げる巻き上げ機とを備え、走行桁の走行路長さを、作業対象となる分岐器の軌間方向幅より長寸に形成するとともに、複数の巻き上げ機を走行路に配置し、これら巻き上げ機には、走行車輪の制動を制御する制動機構を設けて構成するとともに、第１の工程で、長尺重量物を予め決められた移送予定面の横方向に合致させて配置し、第２の工程で、山越器を、配置された長尺重量物と移送予定面とを跨ぎ長尺方向に沿って一列に配置し、第３の工程で走行桁の長尺重量物上に巻き上げ機を配置し、制動機構により走行車輪を制動させ、これら巻き上げ機により長尺重量物を把持して吊り上げ、第４の工程で、制動機構により巻き上げ機の走行車輪の制動を解除し、吊り上げられた長尺重量物を移送予定面に向かって横移動させ、長尺重量物が移送予定面上に達すると制動機構により走行車輪を制動させ、第５の工程で、移送予定面上に達した長尺重量物を巻き上げ機により吊り降ろし、巻き上げ機から切り離すようにしたことにより実現した。
【実施例１】
【００２３】
以下、図面に示す実施の形態により本発明を説明する。図１の（Ａ）ないし（Ｃ）はそれぞれ、本発明の一実施例に係る山越器の平面図、正面図および側面図を示す。本実施例に係る山越器２は、図１の（Ａ）ないし（Ｃ）に示すように、断面矩形状の中空円筒角筒材（角筒材）３Ａ、３Ｂを、所定の間隔ＣＬを隔てて両端を連結した走行桁４を備えている。この走行桁４の両端には、走行桁４を支持する逆Ｖ字状支持脚５が着脱自在に取り付けられる。走行桁４には、複数の巻き上げ機２０（本実施例では２台）が載置されるようになっている。走行桁４の角筒材３Ａ、３Ｂの上面にはそれぞれ、走行プレート６設けられ、平行する一対の走行路を形成している。走行路６の有効走行路長さＬ１は、作業対象となる分岐器（長尺重量物）Ｍの軌間方向最大幅寸法Ｄ１（本実施例では、Ｄ１は例えば２２００mm）より長寸となっている。すなわち、走行路６の長手方向有効走行路長さＬ１は、分岐器Ｍの軌間方向最大幅寸法Ｄ１の２倍に加え、走行桁４両端側での作業用スペースＳ２（本実施例では、Ｓ２は例えば７００mm）を確保し、さらに余裕分Ｓ３（本実施例では、Ｓ３は例えば２００mm）を持たせて決められる（本実施例では、Ｌ１は例えば６０００mm)。
【００２４】
走行桁４はこのように長尺の角筒材３Ａ、３Ｂの両端を連結して構成されているので、持ち運び時、撓みにより両角筒材３Ａ、３Ｂが開くのを防止する桁間開き防止ボルト（拡開防止具）７を備えている。桁間開き防止ボルト７は、角筒材３Ａ、３Ｂのほぼ中心に、長手方向に対して直角に貫通して穿設されたねじ孔８に螺装される。この桁間開き防止ボルト７は、走行桁４の持ち運びの際に使用され、走行桁４上で巻き上げ機２０を使用する際には、取り外される。支持脚５には、貫通孔１０が形成され、持ち運び時、この貫通孔１０に持ち運び用棒材９が差し入れられ、図示しないピンで係止され、複数の作業員で持ち運びするようになっている。この持ち運び用棒材９は、使用しない時には、走行桁４の角筒材３Ａ、３Ｂの下面に溶接された管状パイプ（図示せず）内に収納され、図示しないピンで係止されるようになっている。また、走行桁４の両端には、金具の取っ手１１が溶接される。
【００２５】
巻き上げ機２０は、図２ないし図４に示すように、一対の側枠（巻き上げ機本体）２１Ｒ、２２Ｒおよび２１Ｌ、２２Ｌを備えている。これら側枠２１Ｒ、２２Ｒおよび２１Ｌ、２２Ｌは、一対の外枠２１Ｒ、２１Ｌとこれら外枠２１Ｒ、２１Ｌの内側にそれぞれ取り付けられた側板２２Ｒ、２２Ｌとにより構成される。これら外枠２１Ｒ、２１Ｌと側枠２２Ｒ、２２Ｌとの間には、前後一対のトロリ（走行車輪）２３Ｒ、２４Ｒおよび２３Ｌ２４Ｌが転動自在に設けられる。前後一方のトロリ２４Ｒ、２４Ｌ（図３の左側参照）は、車軸２７が側板２２Ｒ、２２Ｌに回動自在に軸支されるようになっている。車軸２７には、側板２２Ｒ、２２Ｌ間のほぼ中央に位置して制動用環状部材３２が嵌装される。また、車軸２７の一端２８は、外枠２１Ｒから外部に突出し、スプラインが形成されている。このスプライン２８には、Ｌ字状走行ハンドル２９の一端に形成された嵌合部３０が挿脱自在に装着され、ねじ３１で抜け止めがなされるようになっている。すなわち、走行ハンドル２９は、スプライン２８を介して車軸２７に係脱自在に連結され、走行ハンドル２９が外部からの力で回動操作されると、一方のトロリ２４Ｒ、２４Ｌが駆動され、側枠２１Ｒ、２２Ｒおよび２１Ｌ、２２Ｌを前後方向に走行させるようになっている。
【００２６】
巻き上げ機２０には、ロードチェーン４３を巻き取るとともに、巻き取り時、巻き取り方向への回転を許容し逆方向への回転を阻止し、巻き戻し時、巻き戻し方向への回転を許容し逆方向への回転を阻止するクラッチ機構（図示せず）を備えた吊り上げ機構４０が設けられる。吊り上げ機構４０は、側板２２Ｒ、２２Ｌ間に回動自在に設けられたロードシーブ４１と、先端にレール（長尺重量物）を把持するレールキャッチ４２が取り付けられロードシーブ４１に巻き取られるロードチェーン４３とを備えている。ロードチェーン４３は、巻き上げ機２０が走行桁４の走行路６に載置されると、角筒材３Ａ、３Ｂ間の空隙ＣＬを介して巻き取り巻き戻しされるようになっている。ロードシーブ４１の回動軸４４は一端が側板２２Ｌから外部に突出するスプライン４５に同軸上で連結される。このスプライン２８には、Ｌ字状巻回ハンドル４６の一端に形成された嵌合部４７が挿脱自在に装着され、ねじ４８で抜け止めがなされている。すなわち、巻回ハンドル４６は、スプライン４５を介して回動軸４４に係脱自在に連結され、巻回ハンドル４６が外部からの力で回動操作されると、ロードシーブ４１を正逆に回転駆動させ、ロードチェーン４３の巻き取り巻き戻しを行うようになっている。
【００２７】
側板２２Ｒ、２２Ｌ間には、前後両端の、巻き上げ機構２０と干渉しない位置に、角筒材３Ａ、３Ｂ間の隙間ＣＬに突出しトロリ２３Ｒ、２３Ｌおよび２４Ｒ、２４Ｌが走行路６から脱落するのを阻止する走行ガイド４９、４９が取り付けられる。側板２２Ｒ、２２Ｌには、取付具を介して取っ手３３が取り付けられる。
【００２８】
巻き上げ機２０には、一方のトロリ２４Ｒ、２４Ｌを制動させる制動機構５０が設けられる。制動機構５０は、トロリ２４Ｒ、２４Ｌの車軸２７に嵌装された制動用環状部材３２と、この制動用環状部材３２の上方で、側板２２Ｒ、２２Ｌ間に取り付けられ、制動用環状部材３２に臨むよう上下に貫通して形成されたねじ穴５２を有する支持ブロック（支持部材）５１と、このねじ穴５２に螺装されるねじ部５３を有し上端に操作レバー５４が取り付けられた制動ねじ５５とを備えて構成され、操作レバー５４の操作によりねじ部５３の先端部５３Ａが制動用環状部材３２の外周面３２Ａにねじ込まれ擦り付けられると、車軸２７が制動されるようになっている。すなわち、制動機構５０は、制動ねじ５５の操作レバー５４を制動方向に回転させるとねじ部５３の先端部５３Ａが制動用環状部材３２の外周面３２Ａに近づきこの外周面３２Ａに接触してさらにねじ込まれると、この外周面３２Ａに擦り付けられて操作レバー５４はそれ以上押し回すことができなくなり、車軸２７がロックされ、トロリ２４Ｒ、２４Ｌを制動状態とするようになっている。その制動状態から、操作レバー５４を逆に回転させてねじ部５３の先端部５３Ａを制動用環状部材３２の外周面３２Ａから離すと、制動は解除されるようになっている。
【００２９】
次に、上記実施例に係る山越器２の作用に基づいて、本発明に係る山越器を用いた長尺重量物の移送方法について説明する。本発明に係る山越器を用いた長尺重量物の移送方法は、上記山越器２を用いて、分岐器（長尺重量物）７０を作業現場に搬入された場所から予め決められた所定の据え付け予定面（移送予定面）に移送したり、設置された分岐器７０を現場から撤去する際、設置場所から所定の搬出場所（移送予定面）に移送したりするものである。
【００３０】
本発明に係る山越器を用いた長尺重量物の移送方法は、まず、図５の（Ａ）に示すように、例えば、バラスト道床７１上の分岐器７０の据え付け予定面（移送予定面）Ａ１が施工プランに基づいて予め決定される。符号７２は据え付け予定面Ａ１の近傍に敷設されている既設のレール軌道を示す。このとき、図示しないが、山越器２を、予め作業現場近くに搬入しておく。山越器２の台数は、分岐器７０の長さや重量と山越器２の許容最大荷重とに応じて予め決定される。すなわち、巻き上げ機２０の許容最大荷重が１．５トンである場合、山越器２に２台の巻き上げ機２０を据え付けると、１台の山越器２で３トンの許容最大荷重を得ることになる。
【００３１】
次に、予め組み立てられた据え付け予定の分岐器７０を、図５の（Ｂ）に示すように、搬送用台車７３に載置して作業現場に搬入し、据え付け予定面Ａ１の横方向に合致させて配置する（第１の工程Ｓ１）。すなわち、分岐器７０は軌間方向（横方向）に移動させて据え付けを行うため、分岐器７０の搬入時、搬送用台車７３を分岐器７０と据え付け予定面Ａ１とが横方向に合致するように停止させる。次に、作業現場近くに搬入されていた山越器２を、図５の（Ｃ）に示すように、搬送台車７３上の分岐器７０と据え付け予定面Ａ１とが走行桁４の下側に位置するように軌間方向に平行に、かつ、各山越器４を軌道方向にほぼ等間隔で分岐器７０と据え付け予定面Ａ１とに沿って一列に配置する（第２の工程Ｓ２）。このとき、走行桁４が水平になるように山越器２を配置する。山越器２の支持脚５の下面は直接バラスト道床に接地させてもよいし、平板を介在させて接地させるようにしてもよい。
【００３２】
次に、１台の山越器２の走行桁４上に巻き上げ機２０をそれぞれ２台ずつ載せ、巻き上げ機２０を分岐器７０の上方に移動させて、制動機構５０の操作レバー５４を操作してトロリ２４Ｒ、２４Ｌを制動させ、巻き上げ機２０が走行できないようにする。次に、巻き上げ機２０のレールキャッチ４２で分岐器７０のレールを把持する。すべての巻き上げ機２０のレールキャッチ４２が分岐器７０のレールを把持すると、次に、巻き上げ機２０の巻回ハンドル４６を回して、ロードシーブ４１でロードチェーン４３を巻き取り、分岐器７０をほぼ水平を保って所定の高さ（本実施例の山越器２では、脚長１３００mmで有効揚程をおよそ５００mmに設定している。）まで吊り上げる（第３の工程Ｓ３）。
【００３３】
分岐器７０が所定の高さまで吊り上げられると、次に、制動機構５０の操作レバー５４を逆方向に操作してトロリ２４Ｒ、２４Ｌの制動を解除する。次に、走行ハンドル２９を回転操作し、吊り上げられた分岐器７０を走行桁４に沿って横移動させ据え付け予定面Ａ１まで移送し、分岐器７０が据え付け予定面Ａ１の真上位置に達すると、制動機構５０の操作レバー５４を操作してトロリ２４Ｒ、２４Ｌを制動させ、分岐器７０を据え付け予定面Ａ１の真上位置で静止させる（図６の（Ｄ）参照、第４の工程Ｓ４）。分岐器７０が据え付け予定面Ａ１の真上位置で静止されると、次に、巻回ハンドル４６を逆に回して、ロードシーブ４１からロードチェーン４３を巻き戻し、分岐器７０をほぼ水平を保って徐々に降下させ、据え付け予定面Ａ１上に吊り降ろす。分岐器７０が据え付け予定面Ａ１上に吊り降ろされると、レールキャッチ４２から分岐器７０のレールを外して山越器２と分岐器７０とを切り離す（第５の工程Ｓ５）。分岐器７０と切り離された山越器２は、図６の（Ｅ）に示すように、撤去されて作業が終了する。このように本実施例に係る山越器２を用いた長尺重量物の移送方法では、分岐器７０を所望の据え付け予定面Ａ１に移すにあたり、複数の山越器２を用いるだけで作業を行うことができ、大型の重機を用いたり、移送のための転動設備を予め設置する必要がなく、作業効率が向上する。なお、すでに、設置されている分岐器を現場から撤去する場合には、上記工程と逆にすればよく、例えば、図６の（Ｅ）に示すような分岐器１７０を撤去する場合、撤去すべき分岐器１７０と軌道７２とに沿って、山越器２を一列に配置し、巻き上げ機２０を分岐器１７０上の走行桁４に配置して、分岐器１７０を吊り上げ（図５の（Ｄ）参照）、軌道７２上には搬送台車７３を用意して、吊り上げた分岐器１７０を搬送台車７３上に移送して吊り降ろし（図５の（Ｃ）参照）、山越器２を分岐器１７０と切り離して撤去し、搬送台車７３で分岐器１７０を搬出すればよい（図５の（Ｂ）参照）。
【実施例２】
【００３４】
次に、本発明の第２の実施例に係る山越器を用いた長尺重量物の移送方法について説明する。第２の実施例に係る山越器を用いた長尺重量物の移送方法は、上記第１の実施例に係る山越器を用いた長尺重量物の移送方法では、走行路６の有効走行路長さＬ１を、山越器２が現場に搬入された分岐器７０と据え付け予定面Ａ１とを跨いで配置することができる長さに設定しているのに対し、すなわち、搬入された分岐器７０と据え付け予定面Ａ１とで形成される面の軌間方向（横方向）の最大長さＬ２が、山越器２の走行路の有効走行路長さＬ１の範囲内（Ｌ２＜Ｌ１、図５の（Ｂ）参照）にあるのに対し、図７の（Ａ）に示すように、最終的な据え付け予定面ＡＦの距離が、現場に搬入された分岐器７０から遠く離れ、第２の工程で一列に配置された山越器２の走行路６内に据え付け予定面ＡＦがなく、山越器２の外側にある場合に適用される。すなわち、搬入された分岐器７０と据え付け予定面ＡＦとで形成される面の軌間方向の最大長さＬ３が、山越器２の走行路の有効走行路長さＬ１以上（Ｌ３＞Ｌ１、図７の（Ａ）参照）である場合に適用される。
【００３５】
すなわち、本発明の第２の実施例に係る山越器を用いた長尺重量物の移送方法は、分岐器７０を、予め決められた移送予定面ＡＦの横方向に合致させて配置する第１の工程（Ｓ１０１）と、山越器２を、分岐器７０跨いで長尺方向に沿って一列に配置する第２の工程（Ｓ１０２）と、走行桁４の分岐器７０上に巻き上げ機２０を複数配置し、制動機構５０によりトロリ２４Ｒ、２４Ｌを制動させ、これら巻き上げ機２０により分岐器７０を把持して吊り上げる第３の工程（Ｓ１０３）と、制動機構５０によりトロリ２４Ｒ、２４Ｌの制動を解除し、吊り上げられた分岐器７０を移送予定面ＡＦに向かって横移動させ、分岐器７０の移送方向前方側が山越器２の走行路端に近づくと制動機構５０によりトロリ２４Ｒ、２４Ｌを制動させる第４の工程（Ｓ１０４）と、山越器２の走行路端に近づいた分岐器７０を巻き上げ機２０により一旦吊り降ろし、巻き上げ機２０から切り離す第５の工程（Ｓ１０５）と、移送予定面ＡＦへの移送途中で吊り降ろされた分岐器７０に対し、山越器２を横方向に移動する第６の工程（Ｓ１０６）とを備えている。そして、本実施例に係る山越器を用いた長尺重量物の移送方法では、長尺重量物を移送予定面に移すまで上記第２の工程（Ｓ１０２）から第６の工程（Ｓ１０６）までを繰り返すようになっている。なお、既設の分岐器を撤去する場合は、上記第１の実施例と同様に逆の工程をたどることになる。係る構成とすることにより、移送予定面を制約なく設定することができ、施工の自由度が向上する。
【００３６】
なお、上記各実施例では、長尺重量物の一例として分岐器７０を示しているがこれに限られるものではなく、軌框や転轍装置等鉄道用の重量物であって長尺のものに適用可能であることはいうまでもない。また、上記実施例では、ハンドル２９、４６を別体としているがこれに限られるものではなく、走行車輪の走行とロードチェーンの巻き取り巻き戻しを同時に行うことがないので、同一の構成とし、兼用するようにしてもよい。さらに、山越器の走行桁寸法は、上記実施例に限られるものではなく、作業対象となる分岐器等の長尺重量物の寸法に応じて決定されるのはいうまでもない。さらに、走行桁寸法の異なる山越器を現場に運び込み、適宜選択して用いるようにしてもよい。
【図面の簡単な説明】
【００３７】
【図１】（Ａ）ないし（Ｃ）はそれぞれ、本発明の第１の実施例に係る山越器を示す平面図、正面図および側面図である。（実施例１）
【図２】図１の山越器の走行桁と巻き上げ機とを示す一部破断正面図である。
【図３】図１の巻き上げ機の側面図である。
【図４】図１の巻き上げ機の組み立て分解図である。
【図５】（Ａ）ないし（Ｃ）はそれぞれ、図１の山越器を用いて長尺重量物を移送する工程を示す説明図である。
【図６】（Ｄ）および（Ｅ）はそれぞれ、図１の山越器を用いて長尺重量物を移送する工程を示す説明図である。
【図７】（Ａ）ないし（Ｃ）はそれぞれ、本発明の第２の実施例に係る山越器を用いて長尺重量物を移送する工程を示す説明図である。（実施例２）
【符号の説明】
【００３８】
６  走行路
４  走行桁
５  支持脚
７０  分岐器（長尺重量物）
２０  巻き上げ機
Ｌ１  走行路長さ
Ｄ１  分岐器の軌間方向最大幅寸法（長尺重量物の幅）
２３Ｒ、２３Ｌ、２４Ｒ、２４Ｌ  トロリ（走行車輪）
５０  制動機構
【図１】
0005251183.tif 000002
【図２】
0005251183.tif 000003
【図３】
0005251183.tif 000004
【図４】
0005251183.tif 000005
【図５】
0005251183.tif 000006
【図６】
0005251183.tif 000007
【図７】
0005251183.tif 000008